【手続補正書】
【提出日】平成18年6月29日(2006.6.29)
【手続補正１】
【補正対象書類名】明細書
【補正対象項目名】発明の名称
【補正方法】変更
【補正の内容】
【発明の名称】記録システムと印刷システム及び画像供給デバイスと印刷装置、及びその制御方法
【手続補正２】
【補正対象書類名】明細書
【補正対象項目名】特許請求の範囲
【補正方法】変更
【補正の内容】
【特許請求の範囲】
【請求項１】
画像供給デバイスと記録装置とが通信インターフェースを介して直接通信し、前記画像供給デバイスから前記記録装置に画像データを送信して記録する記録システムであって、
前記記録装置と前記画像供給デバイスとの間の通信を確立する通信手段と、
前記通信の確立後、前記画像供給デバイスと前記記録装置とが有する複数の機能の有無もしくは優劣を判別して、前記複数の機能の分担を決める分担手段と、
前記分担手段により決められた分担に基づき、前記画像供給デバイスと前記記録装置との間で画像データ及びコマンドの授受を行って、前記画像供給デバイスから送信された画像データを用いて前記記録装置で記録を行う記録制御手段と、
を有することを特徴とする記録システム。
【請求項２】
画像供給デバイスと記録装置とが通信インターフェースを介して直接通信し、前記画像供給デバイスから前記記録装置に画像データを送信して記録する記録システムの制御方法であって、
前記記録装置と前記画像供給デバイスとの間の通信を確立する工程と、
前記通信の確立後、前記画像供給デバイスと前記記録装置とが有する複数の機能の有無もしくは優劣を判別して、前記複数の機能の分担を決める分担工程と、
前記分担工程で決められた分担に基づき、前記画像供給デバイスと前記記録装置との間で画像データ及びコマンドの授受を行って、前記画像供給デバイスから送信された画像データを用いて前記記録装置で記録を行う記録制御工程と、
を有することを特徴とする記録システムの制御方法。
【請求項３】
前記通信インターフェースにおいて、前記記録装置をホストに、前記画像供給デバイスをスレーブとして設定し、前記分担工程は前記記録装置で実行されることを特徴とする請求項２に記載の記録システムの制御方法。
【請求項４】
前記通信インターフェースにおいて、前記記録装置をホストに、前記画像供給デバイスをスレーブとして設定し、前記分担工程は前記画像供給デバイスで実行されることを特徴とする請求項２に記載の記録システムの制御方法。
【請求項５】
前記複数の機能は、少なくともユーザインターフェースを含む操作制御機能、画像ファイルの送信を制御する記憶制御機能及び記録動作を制御する記録制御機能を含むことを特徴とする請求項２乃至４のいずれか１項に記載の記録システムの制御方法。
【請求項６】
前記分担工程では、前記通信の確立後に、通信相手が有する機能が記述された機能情報を受信し、受信した前記機能情報に基づいて前記複数の機能の分担を決めることを特徴とする請求項２に記載の記録システムの制御方法。
【請求項７】
前記複数の機能は、画像フォーマットサポート機能、レイアウト印刷機能、日付・ファイル名印刷機能、画像補正機能、サイズ固定印刷機能、画像切り出し印刷機能、印刷ジョブフォーマットサポート機能のうちの少なくとも１つを含むことを特徴とする請求項２乃至６のいずれか１項に記載の記録システムの制御方法。
【請求項８】
画像供給デバイスと印刷装置とが通信インターフェースを介して直接通信し、前記画像供給デバイスから前記印刷装置に画像データを送信して印刷させる印刷システムであって、
前記印刷装置と前記画像供給デバイスとの間の通信を確立する通信手段と、
前記通信の確立後、前記画像供給デバイスと前記印刷装置との間で、ユーザインターフェースを含む操作制御機能、画像ファイルの送信を制御する記憶制御機能及び印刷動作を制御する印刷制御機能の分担を決める分担手段と、
前記分担手段により決められた分担に基づき、前記画像供給デバイスと前記印刷装置との間で画像データ及びコマンドの授受を行って、前記画像供給デバイスから送信された画像データを用いて前記印刷装置で印刷を行う印刷制御手段と、
を有することを特徴とする印刷システム。
【請求項９】
画像供給デバイスと印刷装置とが通信インターフェースを介して直接通信し、前記画像供給デバイスから前記印刷装置に画像データを送信して印刷させる印刷システムの制御方法であって、
前記印刷装置と前記画像供給デバイスとの間の通信を確立する通信工程と、
前記通信の確立後、前記画像供給デバイスと前記印刷装置との間で、ユーザインターフェースを含む操作制御機能、画像ファイルの送信を制御する記憶制御機能及び印刷動作を制御する印刷制御機能の分担を決める分担工程と、
前記分担工程により決められた分担に基づき、前記画像供給デバイスと前記印刷装置との間で画像データ及びコマンドの授受を行って、前記画像供給デバイスから送信された画像データを用いて前記印刷装置で印刷を行う印刷制御工程と、
を有することを特徴とする印刷システムの制御方法。
【請求項１０】
前記通信インターフェースにおいて、前記印刷装置をホストに、前記画像供給デバイスをスレーブとして設定し、前記分担工程は前記印刷装置で実行されることを特徴とする請求項９に記載の制御方法。
【請求項１１】
前記画像供給デバイスと前記印刷装置とは複数の通信方法で通信可能であり、前記画像供給デバイス又は前記印刷装置は各通信方法毎に専用のプロトコルを備えることを特徴とする請求項９に記載の制御方法。
【請求項１２】
前記分担工程では、使用する通信方法に応じて前記画像供給デバイスと前記印刷装置との間での機能の分担が異なることを特徴とする請求項１１に記載の制御方法。
【請求項１３】
前記複数の機能は、画像フォーマットサポート機能、レイアウト印刷機能、日付・ファイル名印刷機能、画像補正機能、サイズ固定印刷機能、画像切り出し印刷機能、印刷ジョブフォーマットサポート機能のうちの少なくとも１つを含むことを特徴とする請求項９乃至１２のいずれか１項に記載の制御方法。
【請求項１４】
通信インターフェースを介して画像供給デバイスと直接接続し、前記画像供給デバイスから画像データを受信して印刷する印刷装置であって、
前記画像供給デバイスとの間で通信を確立する通信手段と、
前記通信の確立後、前記画像供給デバイスと前記印刷装置との間で、ユーザインターフェースを含む操作制御機能、画像ファイルの送信を制御する記憶制御機能及び印刷データの生成を制御する印刷制御機能の分担を決める分担手段と、
前記分担手段により決められた分担に基づき、前記画像供給デバイスから画像データを受信し、受信した画像データに基づいて印刷を行う印刷制御手段と、
を有することを特徴とする印刷装置。
【請求項１５】
前記分担手段は、前記通信の確立後に、前記画像供給デバイスが有する機能が記述された機能情報を受信し、受信した前記機能情報に基づいて前記複数の機能の分担を決めることを特徴とする請求項１４に記載の印刷装置。
【請求項１６】
前記通信手段は、前記画像供給デバイスと複数の通信方法で通信可能であり、前記分担手段は、使用する通信方法に応じて前記画像供給デバイスと前記印刷装置との間での機能の分担を異ならせることを特徴とする請求項１４に記載の印刷装置。
【請求項１７】
前記複数の機能は、画像フォーマットサポート機能、レイアウト印刷機能、日付・ファイル名印刷機能、画像補正機能、サイズ固定印刷機能、画像切り出し印刷機能、印刷ジョブフォーマットサポート機能のうちの少なくとも１つを含むことを特徴とする請求項１４乃至１６のいずれか１項に記載の印刷装置。
【請求項１８】
通信インターフェースを介して印刷装置と直接通信し、前記印刷装置に画像データを送信して印刷させる画像供給デバイスであって、
前記印刷装置との間の通信を確立する通信手段と、
前記通信の確立後、前記印刷装置との間で、ユーザインターフェースを含む操作制御機能、画像ファイルの送信を制御する記憶制御機能及び印刷データの生成を制御する印刷制御機能の分担を決める分担手段と、
前記分担手段により決められた分担に基づき、前記印刷装置に画像データを送信して前記印刷装置により印刷を行わせる印刷制御手段と、
を有することを特徴とする画像供給デバイス。
【請求項１９】
前記分担手段は、前記通信の確立後、前記印刷装置が有する機能が記述された機能情報を受信し、受信した前記機能情報に基づいて前記複数の機能の分担を決めることを特徴とする請求項１８に記載の画像供給デバイス。
【請求項２０】
前記通信手段は、前記印刷装置と複数の通信方法で通信可能であり、前記分担手段は、使用する通信方法に応じて前記画像供給デバイスと前記印刷装置との間での機能の分担を異ならせることを特徴とする請求項１８に記載の画像供給デバイス。
【請求項２１】
前記複数の機能は、画像フォーマットサポート機能、レイアウト印刷機能、日付・ファイル名印刷機能、画像補正機能、サイズ固定印刷機能、画像切り出し印刷機能、印刷ジョブフォーマットサポート機能のうちの少なくとも１つを含むことを特徴とする請求項１８乃至２０のいずれか１項に記載の画像供給デバイス。
【請求項２２】
通信インターフェースを介して画像供給デバイスと直接接続し、前記画像供給デバイスから画像データを受信して印刷する印刷装置の制御方法であって、
前記画像供給デバイスとの間で通信を確立する通信工程と、
前記通信の確立後、前記画像供給デバイスと前記印刷装置との間で、ユーザインターフェースを含む操作制御機能、画像ファイルの送信を制御する記憶制御機能及び印刷データの生成を制御する印刷制御機能の分担を決める分担工程と、
前記分担工程で決められた分担に基づき、前記画像供給デバイスから画像データを受信し、受信した画像データに基づいて印刷を行う印刷制御工程と、
を有することを特徴とする印刷装置の制御方法。
【請求項２３】
前記分担工程では、前記通信の確立後に、前記画像供給デバイスが有する機能が記述された機能情報を受信し、受信した前記機能情報に基づいて前記複数の機能の分担を決めることを特徴とする請求項２２に記載の制御方法。
【請求項２４】
前記通信工程では、前記画像供給デバイスと複数の通信方法で通信可能であり、前記分担工程は、使用する通信方法に応じて前記画像供給デバイスと前記印刷装置との間での機能の分担を異ならせることを特徴とする請求項２２に記載の制御方法。
【請求項２５】
前記複数の機能は、画像フォーマットサポート機能、レイアウト印刷機能、日付・ファイル名印刷機能、画像補正機能、サイズ固定印刷機能、画像切り出し印刷機能、印刷ジョブフォーマットサポート機能のうちの少なくとも１つを含むことを特徴とする請求項２２乃至２４のいずれか１項に記載の制御方法。
【請求項２６】
通信インターフェースを介して印刷装置と直接通信し、前記印刷装置に画像データを送信して印刷させる画像供給デバイスの制御方法であって、
前記印刷装置との間の通信を確立する通信工程と、
前記通信の確立後、前記印刷装置との間で、ユーザインターフェースを含む操作制御機能、画像ファイルの送信を制御する記憶制御機能及び印刷データの生成を制御する印刷制御機能の分担を決める分担工程と、
前記分担工程で決められた分担に基づき、前記印刷装置に画像データを送信して前記印刷装置により印刷を行わせる印刷制御工程と、
を有することを特徴とする画像供給デバイスの制御方法。
【請求項２７】
前記分担工程では、前記通信の確立後、前記印刷装置が有する機能が記述された機能情報を受信し、受信した前記機能情報に基づいて前記複数の機能の分担を決めることを特徴とする請求項２６に記載の制御方法。
【請求項２８】
前記通信手段は、前記印刷装置と複数の通信方法で通信可能であり、前記分担手段は、使用する通信方法に応じて前記画像供給デバイスと前記印刷装置との間での機能の分担を異ならせることを特徴とする請求項２６に記載の制御方法。
【請求項２９】
前記複数の機能は、画像フォーマットサポート機能、レイアウト印刷機能、日付・ファイル名印刷機能、画像補正機能、サイズ固定印刷機能、画像切り出し印刷機能、印刷ジョブフォーマットサポート機能のうちの少なくとも１つを含むことを特徴とする請求項２６乃至２８のいずれか１項に記載の制御方法。
【手続補正３】
【補正対象書類名】明細書
【補正対象項目名】０００１
【補正方法】変更
【補正の内容】
【０００１】
【発明の属する技術分野】
本発明は、デジタルカメラなどの画像供給デバイスと記録装置とを有する記録システム及び印刷システムとその制御方法、そして、印刷装置及び画像供給デバイス及びその制御方法に関するものである。
【手続補正４】
【補正対象書類名】明細書
【補正対象項目名】０００８
【補正方法】変更
【補正の内容】
【０００８】
【課題を解決するための手段】
上記目的を達成するために本発明の記録システムは以下のような構成を備える。即ち、  画像供給デバイスと記録装置とが通信インターフェースを介して直接通信し、前記画像供給デバイスから前記記録装置に画像データを送信して記録する記録システムであって、
前記記録装置と前記画像供給デバイスとの間の通信を確立する通信手段と、
前記通信の確立後、前記画像供給デバイスと前記記録装置とが有する複数の機能の有無もしくは優劣を判別して、前記複数の機能の分担を決める分担手段と、
前記分担手段により決められた分担に基づき、前記画像供給デバイスと前記記録装置との間で画像データ及びコマンドの授受を行って、前記画像供給デバイスから送信された画像データを用いて前記記録装置で記録を行う記録制御手段と、を有することを特徴とする。
【手続補正５】
【補正対象書類名】明細書
【補正対象項目名】０００９
【補正方法】変更
【補正の内容】
【０００９】
上記目的を達成するために本発明の記録システムの制御方法は以下のような工程を備える。即ち、
画像供給デバイスと記録装置とが通信インターフェースを介して直接通信し、前記画像供給デバイスから前記記録装置に画像データを送信して記録する記録システムの制御方法であって、
前記記録装置と前記画像供給デバイスとの間の通信を確立する工程と、
前記通信の確立後、前記画像供給デバイスと前記記録装置とが有する複数の機能の有無もしくは優劣を判別して、前記複数の機能の分担を決める分担工程と、
前記分担工程で決められた分担に基づき、前記画像供給デバイスと前記記録装置との間で画像データ及びコマンドの授受を行って、前記画像供給デバイスから送信された画像データを用いて前記記録装置で記録を行う記録制御工程と、
を有することを特徴とする。
【手続補正６】
【補正対象書類名】明細書
【補正対象項目名】００１０
【補正方法】変更
【補正の内容】
【００１０】
上記目的を達成するために本発明の印刷装置は以下のような構成を備える。即ち、
通信インターフェースを介して画像供給デバイスと直接接続し、前記画像供給デバイスから画像データを受信して印刷する印刷装置であって、
前記画像供給デバイスとの間で通信を確立する通信手段と、
前記通信の確立後、前記画像供給デバイスと前記印刷装置との間で、ユーザインターフェースを含む操作制御機能、画像ファイルの送信を制御する記憶制御機能及び印刷データの生成を制御する印刷制御機能の分担を決める分担手段と、
前記分担手段により決められた分担に基づき、前記画像供給デバイスから画像データを受信し、受信した画像データに基づいて印刷を行う印刷制御手段と、を有することを特徴とする。
【手続補正７】
【補正対象書類名】明細書
【補正対象項目名】００１１
【補正方法】変更
【補正の内容】
【００１１】
上記目的を達成するために本発明の画像供給デバイスは以下のような構成を備える。即ち、
通信インターフェースを介して印刷装置と直接通信し、前記印刷装置に画像データを送信して印刷させる画像供給デバイスであって、
前記印刷装置との間の通信を確立する通信手段と、
前記通信の確立後、前記印刷装置との間で、ユーザインターフェースを含む操作制御機能、画像ファイルの送信を制御する記憶制御機能及び印刷データの生成を制御する印刷制御機能の分担を決める分担手段と、
前記分担手段により決められた分担に基づき、前記印刷装置に画像データを送信して前記印刷装置により印刷を行わせる印刷制御手段と、を有することを特徴とする。